(57)【要約】【課題】意外性、変化の妙味に富んだ効果と共に、温度変化に応じて現れる絵柄から、コンテンツ情報を色彩又は濃淡に対応してコード化した機械で判読可能なコードを読み取ることにより、コンテンツ情報を提供可能とする容器を提供する。【解決手段】容器（コップ）１０は、容器基材１１に、非変色性インキ１２及び熱変色性インキ１３を用いて、様相の異なるカラーコード情報２０を含む絵柄１４のコードイメージを印刷し、温度変化に応じて熱変色後、カラーコード情報２０を付与する絵柄１４が現れる。クライアント端末１１０は、読み取ったカラーコード情報２０のデコード処理を行い、デコード情報をデコーダサーバ１２０に送信し、再生されたコンテンツ情報４０を取得し、コンテンツ情報４０を基に、コンテンツサーバ１３０にアクセスし、コンテンツデータを取得する。【選択図】図４
2007328420.tif 000002
【特許請求の範囲】
【請求項１】
使用前後に温度差が発生する容器であって、
前記容器の外側表面に、文字及び／又は絵柄を熱変色性インキで印刷する、温度変化により、可逆的に色が変化する熱変色性印刷層と、
文字及び／又は絵柄を非変色性インキで印刷する非変色性印刷層と、
を備え、
前記熱変色性印刷層及び／又は前記非変色性印刷層に、所定のコンテンツ情報を色彩又は濃淡に対応してコード化した機械で判読可能なコードが付与され、前記機械で判読可能なコードは常温では隠蔽され、温度変化に応じて可逆的に現れることを特徴とする容器。
【請求項２】
前記機械で判読可能なコードは、色彩又は濃淡によって情報をコード化した機械で判読可能なコードを機械的に識別可能な読取機能を備えたクライアント端末で読み取られ、前記クライアント端末、及び／又は、ネットワークを介して接続されるデコーダサーバを介して、読み取った前記機械で判読可能なコードのデコード処理を行われ、デコード処理結果から前記コンテンツ情報に再生されることを特徴とする請求項１記載の容器。
【請求項３】
前記クライアント端末は、再生された前記コンテンツ情報を基に、ネットワークを介して、コンテンツ提供サーバ、又は記録媒体にアクセスし、コンテンツデータを取得することを特徴とする請求項２記載の容器。
【請求項４】
前記コンテンツ情報は、前記コンテンツ提供サーバのＵＲＬ情報、前記コンテンツ提供サーバ内のコンテンツを特定する識別情報、ネットワークを特定する識別情報、属性情報の少なくとも一つを含むことを特徴とする請求項１記載の容器。
【発明の詳細な説明】
【技術分野】
【０００１】
本発明は、文字又は絵柄が印刷される印刷層を有する容器に係り、特に、容器表面に所定のコンテンツ情報を色彩又は濃淡に対応してコード化した機械で判読可能なコードが付与される容器に関する。
【背景技術】
【０００２】
従来より、熱変色性インキを使用して、温度変化によって色彩、図柄模様等が変化する食器、玩具、印刷物等が存在する（例えば、特許文献１）。これらは、非変色性インキ（通常のインキ）によって特定の文字や図形を印刷し、その上に、温度に応じて色が変化をする熱変色性インキで非変色性印刷層を隠蔽したものであり、図形や色変化の妙味、意外性を付与している。
【０００３】
一方、雑誌、カタログなどの印刷物に、掲載商品の詳細な情報を利用者に提示するＷｅｂサイトのＵＲＬの情報を符号化データに変換された２次元バーコード（例えばＱＲコード）を作成し、直接、印刷物に掲載することにより、利用者は、カメラ付携帯電話等で２次元バーコードを読み取り、携帯電話の通信機能によってサーバに送り出され、簡単に必要な情報の入力を行なうことを可能としていた（例えば、特許文献２）。
【０００４】
更に、近年、複数の色彩又は濃淡で表現されたセルを用いてデータをコードでエンコーディングし、そのエンコーディングされたコードをコンピュータと周辺装置を用いてデコーディングする方法が開示されている（例えば、特許文献３）。
【０００５】
【特許文献１】実開平１−１２１４７４号公報
【特許文献２】特開２００４−８０５８５号公報
【特許文献３】特開２００１−３１９２００号公報
【発明の開示】
【発明が解決しようとする課題】
【０００６】
しかしながら、従来技術の熱変色性インキを使用したものは、図形模様や色変化の妙味、驚き、楽しさ等の効果はあるが、それと共に、利用者にのみ有用なコンテンツ情報を提供するものはなかった。
【０００７】
本発明は、以上の点に鑑みてなされたものであり、意外性、変化の妙味に富んだ効果と共に、温度変化に応じて現れる絵柄から、コンテンツ情報を色彩又は濃淡に対応してコード化した機械で判読可能なコードを読み取ることにより、コンテンツ情報を提供可能とする容器を提供することを目的とする。
【課題を解決するための手段】
【０００８】
前述した目的を達成するために本発明は、使用前後に温度差が発生する容器であって、前記容器の外側表面に、文字及び／又は絵柄を熱変色性インキで印刷する、温度変化により、可逆的に色が変化する熱変色性印刷層と、文字及び／又は絵柄を非変色性インキで印刷する非変色性印刷層と、を備え、前記熱変色性印刷層及び／又は前記非変色性印刷層に、所定のコンテンツ情報を色彩又は濃淡に対応してコード化した機械で判読可能なコードが付与され、前記機械で判読可能なコードは常温では隠蔽され、温度変化に応じて可逆的に現れることを特徴とする容器である。
【０００９】
また、前記機械で判読可能なコードは、色彩又は濃淡によって情報をコード化した機械で判読可能なコードを機械的に識別可能な読取機能を備えたクライアント端末で読み取られ、前記クライアント端末、及び／又は、ネットワークを介して接続されるデコーダサーバを介して、読み取った前記機械で判読可能なコードのデコード処理を行われ、デコード処理結果から前記コンテンツ情報に再生されることが望ましい。
また、前記クライアント端末は、再生された前記コンテンツ情報を基に、ネットワークを介して、コンテンツ提供サーバにアクセスし、コンテンツデータを取得することが望ましい。
【００１０】
本発明による容器は、使用前後に温度差が発生する容器であって、容器の外側表面に、文字及び／又は絵柄を熱変色性インキで印刷する、温度変化により、可逆的に色が変化する熱変色性印刷層と、文字及び／又は絵柄を非変色性インキで印刷する非変色性印刷層と、を備え、熱変色性印刷層及び／又は非変色性印刷層に、所定のコンテンツ情報を色彩又は濃淡に対応してコード化した機械で判読可能なコードが付与され、機械で判読可能なコードは常温では隠蔽され、温度変化に応じて可逆的に現れる。
【００１１】
「熱変色性インキ」は、温度変化により、可逆的に色が変化するインキであり、大きく分けて、氷水で冷やしたり寒い戸外に出たりすると色が変化するタイプ、体温や息の暖かさで色が変化するタイプ、熱い湯やドライヤーなどで温めると色が変化するタイプ等がある。例えば、−３０℃〜＋６０℃の範囲で任意の温度で変色させられ、色の変化は、（１）有色⇔無色（２）有色Ａ⇔有色Ｂがある。
「非変色性インキ」は、一般的なインキであり、温度範囲−３０℃〜６０℃ではその色彩のまま変色しない性状を有するものである。
「機械で判読可能なコード」は、所定のコンテンツ情報を色彩又は濃淡に対応してコード化したコードである。
「コンテンツ情報」は、文字、数字、記号等であり、コンテンツ提供サーバのＵＲＬ情報、コンテンツ提供サーバ内のコンテンツを特定する識別情報、ネットワークを特定する識別情報、属性情報の少なくとも一つを含む。
【００１２】
本発明では、容器は、温度変化に応じて、非変色性インキよる絵柄と、熱変色性インキによる絵柄とを、可逆的に複数の異なる様相を視覚的に実現させ、図柄模様や色変化の妙味、驚き、楽しさ等の提供に加えて、更に、容器表面上に所定のコンテンツ情報を色彩又は濃淡に対応してコード化した機械で判読可能なコードを印刷することにより、コンテンツ配信サイトへの誘導をするコンテンツ情報を提供することを可能とし、容器の商品性を高めるという効果を奏する。
【発明の効果】
【００１３】
本発明は、以上の点に鑑みてなされたものであり、意外性、変化の妙味に富んだ効果と共に、温度変化に応じて現れる絵柄から、コンテンツ情報を色彩又は濃淡に対応してコード化した機械で判読可能なコードを読み取ることにより、コンテンツ情報を提供可能とする容器を提供することができる。
【発明を実施するための最良の形態】
【００１４】
以下に、添付図面を参照しながら、本発明に容器１０等の好適な実施形態について詳細に説明する。尚、以下の説明および添付図面において、略同一の機能構成を有する構成要素については、同一の符号を付することにより重複説明を省略することにする。
【００１５】
図１、図２は、本実施の形態に係る容器１０の常温（熱変化前）及び熱変化後の外観斜視図である。図１は、容器１０の一例であり、図１に示すように、容器１０は、例えば、陶器製のコップであり、コップ外表面に熱変化後に絵柄１４が浮き出る様相を示す。常温時、容器（コップ）１０の外表面には、絵柄１４が隠蔽されている。お湯を注ぐ等の温度変化により、熱変化後、コップ外表面に絵柄１４が浮き出る。絵柄１４は、所定のコンテンツ情報を色彩又は濃淡に対応してコード化した機械で判読可能なコード（以降、「カラーコード情報」と称す）を付与している。カラーコード情報２０は、５×５、５×８の複数のブロックのセルからなり、各セル１５は、色彩（又は濃淡）を判断する、ＲＧＢ(Ｒｅｄ、Ｇｒｅｅｎ、Ｂｌｕｅ)モデル、ＨＳＶ(Ｈｕｅ
ａｎｇｌｅ、Ｓａｔｕｒａｔｉｏｎ、Ｖａｌｕｅ)モデル、ＣＭＹ(Ｃｙａｎ、Ｍａｇｅｎｔａ、Ｙｅｌｌｏｗ)モデル、ＨＬＳ(Ｈｕｅ ａｎｇｌｅ、Ｌｉｇｈｔｎｅｓｓ、Ｓａｔｕｒａｔｉｏｎ)モデル中の少なくともいずれか一つの方式に基づいて印刷され、赤色、緑色、青色、黒色の４色のいずれかからなる（カラーコード情報２０については、図６を用いて後述する）。
【００１６】
また、図２に示すように、容器（コップ）１０外表面に熱変化後に絵柄１４が変わる様相を示す。常温時、容器（コップ）１０の外表面には、絵柄１４−１が表示されている。熱湯を注ぐ等の温度変化により、熱変化後、コップ外表面に絵柄１４−２が現れる。熱変化後に現れる絵柄１４−２は、所定のコンテンツ情報を色彩又は濃淡に対応してコード化した機械で判読可能なコードであるカラーコード情報２０を付与している。
【００１７】
図３は、容器（コップ）１０の胴部外表面の拡大断面図である。図３に示すように、例えば、容器（コップ）１０の陶器等の容器基材１１の外表面上に非変色性印刷層１５を形成するとともに、非変色性印刷層１５の表面を隠蔽する熱変色性印刷層１６を形成する。
【００１８】
図４は、図１に示す容器（コップ）１０の外表面に、熱変化後、絵柄１４が浮き出る印刷手順を示す外観斜視図及び断面図である。図４に示すように、容器（コップ）１０の陶器等の材質からなる容器基材１１に、絵柄１４（カラーコード情報２０を付与する）を非変色性インキ１２で印刷し非変色性印刷層１５を形成し（ステップＳ４０１）、次に、容器基材１１に印刷した背景色と常温時同じ色から温度変化に応じて変色後無色（透明）になる熱変色性インキ１３で、印刷した絵柄１４を隠蔽する形で、重ね刷りを行い、熱変色性印刷層１６を形成する（ステップＳ４０２）。
【００１９】
ここで、非熱変色性インキは、天然樹脂、合成樹脂の別を問わず、一般的な温度範囲−３０℃〜６０℃では最初の色彩のまま変色しない性状を有するものである。
また、熱変色性インキは、温度変化により、可逆的に色が変化するインキであり、大きく分けて、氷水で冷やしたり寒い戸外に出たりすると色が変化するタイプ、体温や息の暖かさで色が変化するタイプ、熱い湯やドライヤーなどで温めると色が変化するタイプ等がある。例えば、−３０℃〜＋６０℃の範囲で任意の温度で変色させられ、色の変化は、（１）有色⇔無色（２）有色Ａ⇔有色Ｂがある。
【００２０】
図５は、図２の容器（コップ）１０の外表面に熱変化後絵柄１４が変わる印刷手順を示す外観斜視図及び断面図である。図５に示すように、容器（コップ）１０の容器基材１１に、絵柄１４−１（カラーコード情報２０を付与する）を非変色性インキ１２で印刷し非変色性印刷層１５を形成し（ステップＳ５０１）、次に、絵柄１４−１の変化部分である絵柄１４−２を、常温時有色から、熱変化後、無色（透明）になる１以上の熱変色性インキ１３で印刷し、熱変色性印刷層１６を形成する（ステップＳ５０２）。
【００２１】
また、容器基材１１に、非変色性インキ１２及び有色Ａ→有色Ｂの熱変色性インキ１３で絵柄１４を描き、熱変化後に、熱変色性インキ１３を用いた部分の色彩又は濃淡を変化させてもよい。
【００２２】
次に、図６を参照しながら、本実施例における所定のコンテンツ情報４０を色彩又は濃淡に対応してコード化した機械で判読可能なコードであるカラーコード情報２０について説明する。カラーコード情報２０のエンコーディング及びデコーディング方法については、コンピュータ分野において広く行われている事項であり、本発明で規定するところではない、例えば、特願２０００−３９７１７２号には、多様なカラーまたは濃淡で表現されたセルの配列を用いてデータをコードでエンコーディングし、そのエンコーディングされたコードをコンピュータと周辺装置を用いてデコーディングする方法が示されている。本実施例のカラーコード情報は、この特願２０００−３９７１７２号に記されたような機械で判読できるコードを使用することができる。
【００２３】
図６は、コンテンツ情報を機械で判読可能にイメージで形成されたカラーコード情報２０の構成を示す図である。図６は、カラーコード情報２０の一例であり、カラーコード情報２０は少なくとも二つの領域、データ領域２１とパリティ領域２２から構成され、各領域には少なくとも一つのセルを有する。データ領域２１は、情報の内容によって色彩または濃淡がエンコーディングされて表示される少なくとも一つのデータセルで形成され、パリティ領域２２は、データ領域２１に表示されたセルの認識エラー検査のためのパリティセルで形成される。
【００２４】
また、カラーコード情報２０には参照領域及び制御領域（図示せず）が、必要に応じて、更に含まれる。参照領域は、データ領域２１に形成されたデータセル３１の色彩または濃淡を判断するための基準色彩または基準濃淡を提供する少なくとも一つの参照セルで形成される。制御領域はデータ領域２１に表示された情報を用いて提供される命令やサービスを表示する少なくとも一つの制御セルで形成される。
【００２５】
データ領域２１は文字などがイメージでエンコーディングされた一つ以上のデータセル３１で構成される。データセル３１はその各々が一つの文字のような情報を示すように構成され、また多数個のデータセルセットが一つまたはそれ以上の情報を示すように構成することもできる。例えば、文字“Ａ”を赤色セル一つで表現したり赤色と緑色の二つのセルで表現できる。
データ領域２１に含まれるコンテンツ情報（目的情報）４０は文字、数字、記号よりなされ、文字、数字、記号、コンテンツ提供サーバのＵＲＬ情報、コンテンツ提供サーバ内のコンテンツを特定する識別情報、ネットワークを特定する識別情報、属性情報など、使用者の必要によって多様になりうる。
【００２６】
パリティ領域２２は、コンテンツ情報４０の内容に対応して色彩または濃淡がデータセル３１に適合して表現されているかどうかを判別するのに使われる。パリティ領域２２はデータセルに表示された色彩または濃淡に対応して規定されたコード値によってパリティデータを求め、パリティデータに対応する色彩または濃淡でパリティセルを形成し、パリティセルがコードイメージ内に多様に位置する。例えば、同じ列にあるセルに対するパリティ情報を有する行パリティセル３２−１、・・・、３２−４が最右側列に表示されると同時に同じ行にあるセルに対するパリティ情報を有する列パリティセル３３−１、・・・、３３−４が最下側行に表示された例を示す。そして、列パリティセルと行パリティセルに対するパリティ情報を有するポジションセル３４を含む。
【００２７】
各領域に表示されるセル１５のカラーはＲＧＢ(Ｒｅｄ Ｇｒｅｅｎ Ｂｌｕｅ)カラーモデル、ＨＳＶ(Ｈｕｅ Ｓａｔｕｒａｔｉｏｎ Ｖａｌｕｅ)カラーモデル、ＣＭＹ(Ｃｙａｎ、Ｍａｇｅｎｔａ、Ｙｅｌｌｏｗ)モデル、ＨＬＳ(Ｈｕｅ
ａｎｇｌｅ、Ｌｉｇｈｔｎｅｓｓ、Ｓａｔｕｒａｔｉｏｎ)モデル中で少なくともいずれか一つの方式に基づいてカラーが赤色、緑色、青色、黒色で表示される。また、白黒濃淡(グレースケール)によってコードを形成する場合にも参照領域に表示された黒色及び/または白色を基準として各セルの情報を正確に認識することができる。尚、各セルの中心部から４０％を占める色彩または濃淡で認識可能とする。
【００２８】
少なくともデータ領域２１、パリティ領域２２を含むカラーコード情報２０は、マトリックス状のコードイメージからなり、例えば、５×５ブロック、５×８ブロックのセルからなる。
【００２９】
次に、本発明に係る容器１０作製時のカラーコード情報２０のエンコード処理を実施するエンコーディングシステム１００の一例を説明する。図７は、本発明に係る容器（コップ）１０の絵柄１４に付与されるカラーコード情報２０のエンコード処理を実施するエンコーディングシステム１００を示す図である。図７に示すように、エンコーディングシステム１００は、コンピュータ１０１、プリンタ１０２、容器１０等からなる。コンピュータ１０１は、パーソナルコンピュータ等であり、エンコーディング手段１０３を有し、目的情報としてコンテンツ情報（例えば、ＵＲＬ情報）を入力し、エンコーディングによってカラーコード情報２０を含む絵柄１４のコードイメージを生成し、プリンタ１０２でコードイメージを容器（コップ）１０の印刷媒体に印刷する。
【００３０】
次に、図８を参照しながら、エンコーディング手段１０３によるエンコード処理について詳しく説明する。図８は、コンテンツ情報４０をカラーコード情報２０のコードイメージでエンコード処理を行うフローチャートの一例である。
予め、数字、記号を含む認識できる各文字と、色彩または濃淡(またはグレーレベル)が対応付けられたコード変換テーブルを設定しておく。
【００３１】
コンピュータ１０１の制御部は、コードイメージに変換する目的情報を入力する(ステップＳ８０１)。目的情報は、コンテンツ情報４０、又はコンテンツ情報４０に関連付けられる情報である。コンテンツ情報４０は、例えば、コンテンツデータ、サービスを提供するコンテンツサーバ１３０のＵＲＬ情報である。
【００３２】
コンピュータ１０１の制御部は、予め設定したコード変換表を用いて目的情報をエンコーディングし、目的情報に含まれた文字や数字に対応するコード値を求め、そのコード値により決まる色彩や濃淡によってデータセルに表示されるイメージを決定し、目的情報の文字を配列した順序によりイメージ化されたデータセル３１を配列してデータ領域２１を生成する(ステップＳ８０２)。
コンピュータ１０１の制御部は、データ領域２１に表示されたカラーや濃淡のコード値を用いてパリティ値を求め、そのパリティ値に対応するカラーや濃淡を設定してパリティ領域２２で生成する(ステップＳ８０３)。
【００３３】
コンピュータ１０１の制御部は、所定のレイアウトによってデータ領域２１及びパリティ領域２２(及び、必要に応じて、参照領域及び制御領域)よりなるコードイメージであるカラーコード情報２０を生成する(ステップＳ８０４)。
コンピュータ１０１の制御部は、プリンタ１０２でカラーコード情報２０を含む絵柄１４のコードイメージを容器１０の印刷媒体に、非変色性インキ１２及び／又は熱変色性インキ１３で印刷する(ステップＳ８０５)。
【００３４】
次に、本発明に係る完成後に現れる容器１０に印刷されたカラーコード情報のデコード処理を実施するデコーディングシステムの一例を説明する。図９は、本発明に係る完成後に現れる容器１０に印刷されたカラーコード情報のデコード処理を実施するデコーディングシステム２００を示す図である。
【００３５】
図９に示すように、デコーディングシステム２００は、クライアント端末１１０、デコーダサーバ１２０、コンテンツサーバ１３０、容器１０、ネットワーク１０９等からなる。
【００３６】
デコーディングシステム２００は、ネットワーク１０９を介して、クライアント端末１１０、デコーダサーバ１２０、コンテンツサーバ１３０が接続される。尚、デコーディングシステム２００は、ＷＷＷ（Ｗｏｒｌｄ  Ｗｉｄｅ  Ｗｅｂ）技術を用いて実現した構成図である。
【００３７】
クライアント１４０は、容器１０の使用者であり、クライアント端末１１０を有する。クライアント端末１１０は、携帯型端末、パーソナルコンピュータ等であり、撮像手段、カラーコード情報読取手段１１１、デコーディング手段１１２、Ｗｅｂブラウザを有する。クライアント端末１１０は、例えば、カメラ付携帯電話等の撮像機能を有する携帯型端末であり、カメラにより、容器１０の表面に現れるカラーコード情報２０を撮像し、カラーコード情報読取手段１１１によりカラーコード情報２０を読み取り、デコーディング手段１１２により読み取ったカラーコード情報２０のデコード処理を行う。クライアント端末１１０は、デコード情報４２をデコーダサーバ１２０に送信し、デコーダサーバ１２０から返信されたコンテンツ情報４０を用いて、コンテンツサーバ１３０にアクセスし、撮影したカラーコード情報２０に応じたコンテンツデータ４１を提供するＷｅｂページを表示、閲覧する。
【００３８】
デコーダサーバ１２０はパーソナルコンピュータ等であり、コンテンツ特定手段１２２を有する。コンテンツ特定手段１２２は、受信したデコード情報４２からコンテンツ情報４０を特定する。
【００３９】
コンテンツサーバ１３０はパーソナルコンピュータ等であり、コンテンツ提供手段１３１を有し、クライアント端末１１０からのＵＲＬ情報によるアクセス要求に伴い、該当するコンテンツデータやサービスを提供する。
【００４０】
次に、図１０を参照しながら、本実施の形態によるコードイメージからなるカラーコード情報のデコード処理を説明する。図１０は、本実施の形態によるコードイメージからなるカラーコード情報のデコード処理の処理手順を示すフローチャートの一例である。
【００４１】
クライアント１４０がクライアント端末１１０の撮像機能（カメラ）を用いて容器（コップ）１０の表面上の、お湯を注ぐ等の温度変化に応じた熱変色後の絵柄１４のカラーコード情報２０を撮影することにより、クライアント端末１１０の制御部は、カラーコード情報読取手段１１１により、データ領域とパリティ領域(及び、もし存在すれば、参照領域と制御領域)で形成されたコードイメージであるカラーコード情報２０を入力する(ステップＳ１００１)。
尚、カラーコード情報２０は、認識された赤色、緑色、青色、黒色以外の色彩のセルについては、読み飛ばす。例えば、本実施の形態の図１、２等に示すカラーコード情報２０内の黄色は読み飛ばされる。
【００４２】
クライアント端末１１０は、取得したコードイメージであるカラーコード情報２０のデコード処理を行い（ステップＳ１００２）、デコード情報４２（例えば、１０桁の数値等）をデコーダサーバ１２０に送信する（ステップＳ１００３）。
デコーダサーバ１２０は、デコード情報４２を受信し（ステップＳ１００４）、入力したデコード情報４２から、記憶部に定義、格納されるテーブル等を用いて、対応付けられる元来のコンテンツ情報４０を抽出、特定するコンテンツ特定処理を行う（ステップＳ１００５）。
デコーダサーバ１２０は、抽出したコンテンツ情報４０をクライアント端末１１０に返信する（ステップＳ１００６）。
【００４３】
クライアント端末１１０は、コンテンツ情報４０を表示する（ステップＳ１００７）。
コンテンツ情報４０がコンテンツサーバ１３０のＵＲＬ、コンテンツ提供サーバ内のコンテンツを特定する識別情報、ＩＰアドレス等のネットワークを特定する識別情報である場合、クライアント端末１１０は、ＵＲＬに示されるアドレスにアクセスする（ステップＳ１００８）。
コンテンツサーバ１３０は、クライアント端末１１０からのＵＲＬによるアクセス要求に伴い、該当するコンテンツデータ４１やサービスを提供する（ステップＳ１００９）。
クライアント端末１１０は、コンテンツデータ４１やサービス等を取得する（ステップＳ１０１０）。
【００４４】
デコーディング手段１１２によるデコード処理は、コードイメージからコード変換表で定義された通りに元来の目的情報を抽出し、更に、コードイメージに含まれた形態、カラー、パターン、文字を検索する処理、歪んだイメージを補正する処理等を有する。ここで、ＲＧＢ(Ｒｅｄ、Ｇｒｅｅｎ、Ｂｌｕｅ)モデル、ＨＳＶ(Ｈｕｅ ａｎｇｌｅ、Ｓａｔｕｒａｔｉｏｎ、Ｖａｌｕｅ)モデル、ＣＭＹ(Ｃｙａｎ、Ｍａｇｅｎｔａ、Ｙｅｌｌｏｗ)モデル、ＨＬＳ(Ｈｕｅ
ａｎｇｌｅ、Ｌｉｇｈｔｎｅｓｓ、Ｓａｔｕｒａｔｉｏｎ)モデル中で一つ以上の方法を使用してカラーを判別することができる。データ領域２１、パリティ領域２２または制御領域にあるセルの色彩を検出した後、基準色彩との色差を検出して各セルに対するコード値に変換する。パリティ領域２２から求めたコード値、即ち、パリティデータによってコードイメージの各列と行に対するパリティのエラー有無を検査する。求めた各セルのコード値がコード変換表によって数字、記号を含む認識できる文字からなる元来の目的情報に変換される。
【００４５】
以上説明したように、本発明の実施の形態によれば、容器（コップ）１０は、容器基材１１に、非変色性インキ１２及び熱変色性インキ１３を用いて、カラーコード情報２０を含む絵柄１４のコードイメージを印刷し、温度変化に応じて熱変色後、カラーコード情報２０を付与する絵柄１４が現れる。クライアント端末（カメラ付携帯電話）１１０は、カメラを用いて、カラーコード情報２０を読み取り、カラーコード情報２０のデコード処理を行う。クライアント端末１１０は、ネットワーク１０９を介して、デコーダサーバ１１０にデコード情報を送り、デコーダサーバ１１０は、受信したデコード情報４２からコンテンツ情報４０を抽出、特定し、クライアント端末１１０に返信する。クライアント端末１１０は、再生されたコンテンツ情報４０を基に、ネットワーク１０９を介して、コンテンツサーバ１３０にアクセスし、コンテンツデータを取得する。
【００４６】
これにより、容器は、温度変化に応じて、非変色性インキよる絵柄と、熱変色性インキによる絵柄とから、可逆的に複数の異なる様相を視覚的に実現させ、図柄模様や色変化の妙味、驚き、楽しさ等を提供することに加えて、更に、容器表面上に所定のコンテンツ情報を色彩又は濃淡に対応してコード化した機械で判読可能なコードを印刷することにより、コンテンツ配信サイトへの誘導をするコンテンツ情報を提供することを可能とし、容器の商品性を高めるという効果を奏する。
また、コンテンツ情報を色彩又は濃淡に対応してコード化した機械で判読可能なコードであるカラーコード情報を容器に付加していることにより、デジタルカメラを備えた機器で読取可能とし、容易に利用者にのみ有用なコンテンツデータを入手・利用することができる。
【００４７】
尚、本実施の形態では、クライアント端末１１０側でデコード処理を行い、デコード情報をデコーダサーバ１２０に送り、デコーダサーバ１２０側で受信したデコード情報からコンテンツ情報を特定したが、これに限らない。デコーダサーバ側でカラーコード情報のデコード処理及びコンテンツ特定処理を実施してもよい。また、クライアント端末側でカラーコード情報のデコード処理及びコンテンツ特定処理を実施してもよい。
【００４８】
図１１は、デコーダサーバ側でカラーコード情報のデコード処理及びコンテンツ特定処理を実施するデコーディングシステム３００を示す図である。
図１１に示すように、デコーディングシステム３００では、クライアント端末１１０は、カメラにより、容器１０の表面に現れるカラーコード情報２０を撮像し、カラーコード情報読取手段１１１によりカラーコード情報２０を読み取り、カラーコード情報２０をデコーダサーバ１２０に送信し、デコーダサーバ１２０は、デコーディング手段１２１、コンテンツ特定手段１２２により、受信したカラーコード情報のデコード処理を行い、デコード情報からコンテンツ情報を特定する。デコーダサーバ１２０は、特定したコンテンツ情報４０を用いて、直接、コンテンツ提供サーバ１３０にアクセスし、コンテンツ提供サーバ１３０を介して、コンテンツデータ４１をクライアント端末１１０へ配信する。また、デコーダサーバ１２０は、特定したコンテンツ情報４０を、クライアント端末にコンテンツ情報４０を返信し、クライアント端末１１０からアクセスしてもよい。
【００４９】
図１２は、クライアント端末側でカラーコード情報のデコード処理及びコンテンツ特定処理を実施するデコーディングシステム４００を示す図である。
図１２に示すように、デコーディングシステム４００では、クライアント端末１１０は、カメラにより、容器１０の表面に現れるカラーコード情報２０を撮像し、カラーコード情報読取手段１１１によりカラーコード情報２０を読み取り、デコーディング手段１１２により、カラーコード情報２０のデコード処理を行い、解読したデコード情報からコンテンツ情報を特定し、特定したコンテンツ情報４０を用いて、コンテンツサーバ１３０にアクセスし、コンテンツデータを取得する。また、直接、特定したコンテンツ情報（例えば、記録媒体上の識別情報）を用いて、記録媒体１４０（例えば、スマートメディア、コンパクトフラッシュ（登録商標）カード（ＣＦカード）、フロッピー（登録商標）ディスク、ＰＣカード、ＣＤ−ＲＯＭ等）からコンテンツデータを読み込んでもよい。
【００５０】
更に、本実施の形態では、お湯を注ぐ等の温度上昇による熱変色性インキが変色するケースを説明したが、これに限らず、冷水を注ぐ等の温度下降による熱変色性インキが変色するようにしてもよい。
また、本実施の形態では、クライアント端末１１０としてカメラ付携帯電話を使用したが、クライアント端末１１０として、パーソナルコンピュータを使用し、撮像手段としてデジタルカメラを用いてもよい。
【００５１】
以上、添付図面を参照しながら、本発明に係る容器１０等の好適な実施形態について説明したが、本発明はかかる例に限定されない。当業者であれば、本願で開示した技術的思想の範疇内において、各種の変更例または修正例に想到し得ることは明らかであり、それらについても当然に本発明の技術的範囲に属するものと了解される。
【図面の簡単な説明】
【００５２】
【図１】本実施の形態に係る容器１０の常温（変化前）及び熱変化後の外観斜視図
【図２】本実施の形態に係る容器１０の常温（変化前）及び熱変化後の外観斜視図
【図３】容器（コップ）１０の胴部外表面の拡大断面図
【図４】容器（コップ）１０の外表面に、熱変化後、絵柄１４が浮き出る印刷手順を示す外観斜視図及び断面図
【図５】容器（コップ）１０の外表面に熱変化後絵柄１４が変わる印刷手順を示す外観斜視図及び断面図
【図６】コンテンツ情報を機械で判読可能にイメージで形成されたカラーコード情報２０の構成を示す図
【図７】本発明に係る容器（コップ）１０の絵柄１４に付与されるカラーコード情報２０のエンコード処理を実施するエンコーディングシステム１００を示す図
【図８】コンテンツ情報４０をカラーコード情報２０のコードイメージでエンコード処理を行うフローチャート
【図９】本発明に係る完成後に現れる容器１０に印刷されたカラーコード情報のデコード処理をクライアント端末側で行い、デコーダサーバ側でコンテンツ特定処理を行うデコーディングシステム２００を示す図
【図１０】本実施の形態によるコードイメージからなるカラーコード情報のデコード処理の処理手順を示すフローチャート
【図１１】本発明に係る容器１０に印刷されたカラーコード情報のデコード処理及びコンテンツ特定処理をデコーダサーバ側で実施するデコーディングシステム３００を示す図
【図１２】本発明に係る容器１０に印刷されたカラーコード情報のデコード処理及びコンテンツ特定処理をクライアント端末側で実施するデコーディングシステム４００を示す図
【符号の説明】
【００５３】
１０………容器
１１………容器基材
１２………非変色性インキ
１３………熱変色性インキ
１４、１４−１、１４−２………絵柄
１５………非変色性印刷層
１６………熱変色性印刷層
２０………カラーコード情報
２１………データ領域
２２………パリティ領域
３１………データセル
４０………コンテンツ情報（ＵＲＬ）
３２−１、３２−４………行パリティセル
３３−１、３３−４………列パリティセル
３４………ポジションセル
１００………エンコーディングシステム
１０１………コンピュータ
１０２………プリンタ
１０３………エンコーディング手段
１０９………ネットワーク
１１０………クライアント端末
１１１………カラーコード情報読取手段
１１２、１２１………デコーディング手段
１１３、１２２………コンテンツ特定手段
１２０………デコーダサーバ
１３０………コンテンツサーバ
１３１………コンテンツ提供手段
２００、３００、４００………デコーディングシステム
【図１】
2007328420.tif 000003
【図２】
2007328420.tif 000004
【図３】
2007328420.tif 000005
【図４】
2007328420.tif 000006
【図５】
2007328420.tif 000007
【図６】
2007328420.tif 000008
【図７】
2007328420.tif 000009
【図８】
2007328420.tif 000010
【図９】
2007328420.tif 000011
【図１０】
2007328420.tif 000012
【図１１】
2007328420.tif 000013
【図１２】
2007328420.tif 000014